(57)【要約】【課題】界面活性剤を含まず、かつ、粗グリセリンを材料として利用し、しかも十分な洗浄能力を備えた洗剤を提供する。【解決手段】軟水にアルカリ触媒として苛性ソーダと苛性カリとを加えて溶かし込むことにより第一の溶液を作り、当該第一の溶液を廃植物油を原料とするバイオディーゼル燃料の製造工程において副生される粗グリセリンに加えて撹拌しながら溶かし込んだ後練り上げることにより第二の溶液を作り、当該第二の溶液に更に軟水を加えて撹拌することにより第三の溶液を作り、当該第三の溶液を沸騰するまで加熱した後冷却してなることを特徴とする洗剤。【選択図】なし【特許請求の範囲】
【請求項１】
軟水にアルカリ触媒として苛性ソーダと苛性カリとを加えて溶かし込むことにより第一の溶液を作り、当該第一の溶液を廃植物油を原料とするバイオディーゼル燃料の製造工程において副生される粗グリセリンに加えて撹拌しながら溶かし込んだ後練り上げることにより第二の溶液を作り、当該第二の溶液に更に軟水を加えて撹拌することにより第三の溶液を作り、当該第三の溶液を沸騰するまで加熱した後冷却してなることを特徴とする洗剤。
【請求項２】
前記第一の溶液は、軟水１５〜２０重量部にアルカリ触媒として苛性ソーダ１．２重量部と苛性カリ３．６重量部とを加えて溶かし込んでなり、前記第二の溶液は、当該第一の溶液を廃植物油を原料とするバイオディーゼル燃料の製造工程において副生される粗グリセリン２２重量部に加えて撹拌しながら溶かし込んだ後練り上げてなり、前記第三の溶液は、当該第二の溶液に更に軟水１８０重量部を加えて撹拌してなるものであることを特徴とする請求項１に記載の洗剤。 
【発明の詳細な説明】
【技術分野】
【０００１】
本発明は、洗剤に関するものであり、例えば機械類の油汚れ、コンクリート面の汚れ、一般家具の汚れ、衣類等の汚れを除去するための洗剤に係るものである。
【背景技術】
【０００２】
洗剤は、例えば特開平７−３１００９９号公報に示すように、一般に界面活性剤を含有してなるものである。
【先行技術文献】
【特許文献】
【０００３】
【特許文献１】特開平７−３１００９９号公報
【発明の概要】
【発明が解決しようとする課題】
【０００４】
界面活性剤を含む洗剤は、河川に投入されたときには河川、海等の水質汚染を生じ、環境を害することがしばしば指摘されている。すなわち、河川、海等の生物が死滅し若しくは奇形を生じ、更には悪臭が発生するおそれがある。
【０００５】
一方、廃植物油を原料とするバイオディーゼル燃料の製造工程において粗グリセリンが副生される。この粗グリセリンは産業廃棄物として廃棄されているのであるが、粗グリセリンを廃棄する際に多額の費用が必要になるという問題がある。
【０００６】
本発明は、界面活性剤を含む洗剤が引き起こす上述の如き環境汚染の問題を除去すると共に、廃棄に多額の費用を要する粗グリセリンを積極的に洗剤の材料として利用しようとしてなされたものである。
【０００７】
すなわち、本発明は、界面活性剤を含まず、かつ、粗グリセリンを材料として利用し、しかも十分な洗浄能力を備えた洗剤を提供しようとしてなされたものである。  
【課題を解決するための手段】
【０００８】
上記課題を解決するために、本発明は、下記の洗剤を提供するものである。
【０００９】
（１）軟水にアルカリ触媒として苛性ソーダと苛性カリとを加えて溶かし込むことにより第一の溶液を作り、当該第一の溶液を廃植物油を原料とするバイオディーゼル燃料の製造工程において副生される粗グリセリンに加えて撹拌しながら溶かし込んだ後練り上げることにより第二の溶液を作り、当該第二の溶液に更に軟水を加えて撹拌することにより第三の溶液を作り、当該第三の溶液を沸騰するまで加熱した後冷却してなることを特徴とする洗剤（請求項１）。
【００１０】
（２）前記第一の溶液は、軟水１５〜２０重量部にアルカリ触媒として苛性ソーダ１．２重量部と苛性カリ３．６重量部とを加えて溶かし込んでなり、前記第二の溶液は、当該第一の溶液を廃植物油を原料とするバイオディーゼル燃料の製造工程において副生される粗グリセリン２２重量部に加えて撹拌しながら溶かし込んだ後練り上げてなり、前記第三の溶液は、当該第二の溶液に更に軟水１８０重量部を加えて撹拌してなるものである（請求項２）。
【発明の効果】
【００１１】
本発明による洗剤は、界面活性剤を含まないため、界面活性剤を含む洗剤が引き起こす前述の如き環境汚染の問題を生ずるおそれがない。
【００１２】
また、廃植物油を原料とするバイオディーゼル燃料の製造工程において副生される粗グリセリンは多額の費用を用いて廃棄されているのであるが、本発明は、該粗グリセリンを積極的に洗剤の材料として利用しているため、粗グリセリンの廃棄費用が不要になるだけでなく、このような粗グリセリンを有効活用することができるという優れた効果を発揮する。
【００１３】
加えて、本発明による洗剤は、カルシウムイオン及びマグネシウムイオンの含有量が少ない軟水を使用しているため、十分な洗浄能力を備えている。更に、本発明による洗剤は、粗グリセリンを含むため、油に対しても好ましい洗浄能力を発揮する。けだし、粗グリセリン自体が油に対する優れた洗浄能力を有するためである。
【発明を実施するための形態】
【００１４】
本発明による洗剤は、下記の如くしてなるものである。
【００１５】
軟水にアルカリ触媒として苛性ソーダと苛性カリとを加えて溶かし込むことにより第一の溶液を作る。軟水は、カルシウムイオン及びマグネシウムイオンの含有量が少ないものであるが、好ましくは硬度６０未満の軟水を使用する。
【００１６】
前記第一の溶液は、好ましくは、軟水１５〜２０重量部にアルカリ触媒として苛性ソーダ１．２重量部と苛性カリ３．６重量部とを加えて溶かし込んでなるものとする。
【００１７】
因みに、苛性ソーダは、アルカリ触媒として苛性カリの約３倍の力があり、かつ、苛性カリの約１／３の価格で市販されている。ところが、アルカリ触媒として苛性ソーダのみを使用したときには、洗剤が固形化してしまい、液状化しないという問題がある。洗剤の固形化を防止しつつ、より経済的な苛性ソーダの使用割合を最大にしたときには、苛性ソーダ１重量部に対し苛性カリ３重量部となる。
【００１８】
前記第一の溶液を廃植物油を原料とするバイオディーゼル燃料の製造工程において副生される粗グリセリンに加えて撹拌しながら溶かし込んだ後練り上げることにより第二の溶液を作る。
【００１９】
第二の溶液は、好ましくは、軟水１５〜２０重量部にアルカリ触媒として苛性ソーダ１．２重量部と苛性カリ３．６重量部とを加えて溶かし込んでなる前記第一の溶液を、廃植物油を原料とするバイオディーゼル燃料の製造工程において副生される粗グリセリン２２重量部に加えて撹拌しながら溶かし込んだ後、一例として約１時間練り上げてなる。
【００２０】
本発明者が行った実験によれば、第二の溶液は、より好ましくは、軟水１７．６重量部にアルカリ触媒として苛性ソーダ１．２重量部と苛性カリ３．６重量部とを加えて溶かし込んでなる前記第一の溶液を、廃植物油を原料とするバイオディーゼル燃料の製造工程において副生される粗グリセリン２２重量部に加えて撹拌しながら溶かし込んだ後練り上げてなる。また、軟水の酸化還元電位は、好ましくは−５０〜８００ｍｖとする。
【００２１】
当該第二の溶液に更に軟水を加えて撹拌することにより第三の溶液を作る。
【００２２】
当該第三の溶液は、好ましくは、前記第一の溶液を粗グリセリン２２重量部に加えて撹拌しながら溶かし込んだ後練り上げてなる前記第二の溶液に更に軟水１８０重量部を加えて、例えば約５分間撹拌してなるものである。当該１８０重量部の軟水も、好ましくは硬度６０未満の軟水とする。
【００２３】
前記第三の溶液を沸騰するまで加熱した後、例えば３〜４時間冷却することにより、本発明の洗剤が作られる。